(57)【要約】【課題】ＩＣカードの表示面を携帯可能な装置によって書き換えることにより、ＩＣカードを介して様々なサービスを提供するとともに、カードホルダーから取り外された後のＩＣカードの利用価値も高めることができるＩＣカードホルダーを提供する【解決手段】記憶性表示部１７及びＩＤ情報が記録されたメモリ（１３）を備えたＩＣカード１０を装着する装着部（Ｅ）と、ＩＣカード１０との間でデータ転送及び電力供給を行うインターフェース回路（１６）と、装置全体の動作の制御を行うカードホルダーＣＰＵ２１と、ユーザーに対してサービスを提供するサービス用プログラム記憶するメモリ（２４）と、ＩＣカード１０装着時に記憶性表示部１７を視認可能な窓部Ｗと、を備え、ＩＣカードホルダー２０が、ＩＣカード１０からＩＤ情報を読み出して、ＩＤ情報に対応するサービス用プログラムに基づいて記憶性表示部１７に情報を表示する。【選択図】図２
2010146296.tif 000002
【特許請求の範囲】
【請求項１】
電源が切断されてもデータ表示を継続可能な記憶性表示部及びＩＤ情報が記録されたメモリを備えたＩＣカードを装着する装着部と、前記ＩＣカードとの間でデータ転送及び電力供給を行うインターフェース回路と、装置全体の動作の制御を行うカードホルダーＣＰＵと、ユーザーに対してサービスを提供するサービス用プログラム記憶するメモリと、前記ＩＣカード装着時に前記記憶性表示部を視認可能な窓部と、を備えたＩＣカードホルダーであって、
前記ＩＣカードホルダーが、前記ＩＣカードから前記ＩＤ情報を読み出して、該ＩＤ情報に対応する前記サービス用プログラムに基づいて前記記憶性表示部に情報を表示することを特徴とするＩＣカードホルダー。
【請求項２】
ホストコンピューターと通信を行う通信回路を備え、前記サービス用プログラムを前記ホストコンピューターからダウンロードすることを特徴とする請求項１記載のＩＣカードホルダー。
【請求項３】
前記インターフェース回路が電磁波を用いて非接触でデータ転送及び電力供給を行うことを特徴とする請求項１又は２記載のＩＣカードホルダー。
【請求項４】
外部からの操作を受け付ける入力手段としてのタッチパネルを前記窓部に備えたことを特徴とする請求項１乃至３の何れか一項記載のＩＣカードホルダー。
【請求項５】
音による情報提供を行うスピーカーを備えたことを特徴とする請求項１乃至４の何れか一項記載のＩＣカードホルダー。
【請求項６】
振動による情報提供を行う振動装置を備えたことを特徴とする請求項１乃至５の何れか一項記載のＩＣカードホルダー。
【請求項７】
前記ＩＤ情報を認証する認証装置を備えたことを特徴とする請求項１乃至６の何れか一項記載のＩＣカードホルダー。
【請求項８】
前記サービス用プログラム終了時に、前記記憶性表示部に表示する情報に書き換えることを特徴とする請求項１乃至７の何れか一項記載のＩＣカードホルダー。
【発明の詳細な説明】
【技術分野】
【０００１】
本発明は、いわゆる電子ペーパーを備えたＩＣカードが装着されるＩＣカードホルダーに関する。
【背景技術】
【０００２】
近年、偽造や変造などの不正行為が困難であることから、ＩＣチップを埋め込んだＩＣカードの普及が進んでいる。
ＩＣカード内に記録された情報はそのままでは視認できないため、特許文献１ではＩＣカード内に記録された情報を表示する機能付きの携帯用カードケースが提案されている。
また、ＩＣカード表面に書き換え可能に情報を表示するカードもある。例えばリライタブルマーキングにより表示内容の書き換えが行われるＩＣカードや、液晶ディスプレイと電池を備えて液晶ディスプレイの表示内容を書き換えるＩＣカードがある。特許文献２では、書き換え可能な表示媒体として記憶性画像表示媒体（いわゆる電子ペーパー）を備えたＩＣカードが提案されている。
【特許文献１】特開２００５−２６６８７９公報
【特許文献２】特開２００３−１５７４１４公報
【発明の開示】
【発明が解決しようとする課題】
【０００３】
特許文献１の発明は、ＩＣカード内に記録された情報を表示する機能を有するだけである。情報表示の前後でＩＣカードの価値が変化するものではない。
また、特許文献２に記載のＩＣカードを含め、カード表面に書き換え可能に情報を表示する上述のＩＣカードは、いずれも比較的長期にわたって情報を表示することを目的としたものであり、その表示面はリアルタイムで何らかのサービスを提供することは考慮されていない。
仮に、リアルタイムで表示面の書き換えを行うためには、書込装置を携帯する必要がある。この点、リライタブルマーキング式のＩＣカードでは、大型の専用書込装置を携帯しなければならないという問題がある。また、ＩＣカードにＬＣＤと電池を実装するとカードの小型化が困難であり、コストが増大するといった問題がある。
本発明は、上述の問題点に鑑みてなされたものであり、ＩＣカードの表示面を携帯可能な装置によって書き換えることにより、ＩＣカードを介して様々なサービスを提供するとともに、カードホルダーから取り外された後のＩＣカードの利用価値も高めることができるＩＣカードホルダーを提供することを目的とする。
【課題を解決するための手段】
【０００４】
上記の課題を解決するために、請求項１に記載の発明は、電源が切断されてもデータ表示を継続可能な記憶性表示部及びＩＤ情報が記録されたメモリを備えたＩＣカードを装着する装着部と、前記ＩＣカードとの間でデータ転送及び電力供給を行うインターフェース回路と、装置全体の動作の制御を行うカードホルダーＣＰＵと、ユーザーに対してサービスを提供するサービス用プログラム記憶するメモリと、前記ＩＣカード装着時に前記記憶性表示部を視認可能な窓部と、を備えたＩＣカードホルダーであって、前記ＩＣカードホルダーが、前記ＩＣカードから前記ＩＤ情報を読み出して、該ＩＤ情報に対応する前記サービス用プログラムに基づいて前記記憶性表示部に情報を表示することを特徴とする。
請求項２に記載の発明は、ホストコンピューターと通信を行う通信回路を備え、前記サービス用プログラムを前記ホストコンピューターからダウンロードすることを特徴とする。
請求項３に記載の発明は、前記インターフェース回路が電磁波を用いて非接触でデータ転送及び電力供給を行うことを特徴とする。
請求項４に記載の発明は、外部からの操作を受け付ける入力手段としてのタッチパネルを前記窓部に備えたことを特徴とする。
【０００５】
請求項５に記載の発明は、音による情報提供を行うスピーカーを備えたことを特徴とする。
請求項６に記載の発明は、振動による情報提供を行う振動装置を備えたことを特徴とする。
請求項７に記載の発明は、前記ＩＤ情報を認証する認証装置を備えたことを特徴とする。
請求項８に記載の発明は、前記サービス用プログラム終了時に、前記記憶性表示部に表示する情報に書き換えることを特徴とする。
【発明の効果】
【０００６】
本発明によれば、ＩＣカードを装着するＩＣカードホルダーが駆動源を備えているので、ＩＣカードを大型化することがない。そして、ＩＣカードホルダーは、ＩＣカードのＩＤ情報に従ってユーザーにサービスを提供するためのサービス提供用プログラムを動作させて、ＩＣカードの表示面にリアルタイムにサービス内容を表示することができるので、ＩＣカードを介して様々なサービスを提供することが可能となり、ＩＣカードの価値を高めることができる。また、ＩＣカードをＩＣカードホルダーから取り外した後でも、ＩＣカードに必要な情報が表示されて、利便性を高めることができる。
【発明を実施するための最良の形態】
【０００７】
以下、本発明の実施形態を詳細に説明する。
〔第一の実施形態〕
本発明の第一の実施形態について、図１に基づいて説明する。本実施形態においては、表示装置付きＩＣカードの表示部を視認可能に保持するＩＣカードホルダーの制御に基づいてＩＣカードの表示を切り替えて、ＩＣカード表面に様々な情報を表示することによりサービスの提供を可能とした点に特徴がある。
図１は、表示装置付きＩＣカードと、ＩＣカードが挿入されるＩＣカードホルダーの外観図である。
図１（ａ）に示すように、表示装置付きＩＣカード１０（以下、単に「カード１０」という。）は、内部にＩＣチップ１１と、表面に記憶性表示部１７と、裏面にカードＩ／Ｆ１６とを備えたカードである。また、ＩＣカードホルダー２０（以下、単に「ホルダー２０」という。）は、ホルダー２０本体に、カード１０を出し入れする出入口Ｅと、カード１０の挿入時に記憶性表示部１７の内容を視認可能な窓部Ｗと、ホルダー２０及びカード１０に対してユーザーから指示を与えるための操作部２２と、を備える。本実施形態における操作部２２は、幾つかの操作ボタンから構成される。
また図１（ｂ）は、ホルダー２０の使用例を示す図である。図示するように、利用者が携帯可能な構成であり、例えば利用者の首に吊り下げて利用することができる。この状態で利用者は、カード１０の記憶性表示部１７に表示された内容を、ホルダー２０に挿入した状態で窓部Ｗから視認可能である。
【０００８】
図２は、本発明の第１の実施形態に係るカード１０とホルダー２０のハードウェア構成を示したブロック図である。
カード１０に内蔵されたＩＣチップ１１は、カード１０全体の動作の制御を行うＣＰＵ１２と、カード１０を動作させるプログラムとＩＤ情報とが記憶されているＲＯＭ１３と、プログラムの実行メモリとなるＲＡＭ１４と、記憶性表示部１７を制御する表示制御回路１５と、ホルダー２０との間でデータ転送を行うと共にホルダー２０から電力供給を受けるカードＩ／Ｆ１６と、電源が切断されてもデータ表示を継続できる特性を有する記憶性表示部１７と、から構成される。
図１（ａ）のカード１０ａは、カードＩ／Ｆ１６として接続用ＩＣ端子を備えており、いわゆる接触型のＩＣカードである。しかし、カード１０ａとホルダー２０との間の電力供給及びデータ伝送を、例えばＲＦＩＤ等で使用されている電磁波を用いた非接触方式により行うようにしてもよい。この場合、カードＩ／Ｆ１６及び後述するホルダーＩ／Ｆ２３は互いに物理的な接点を持たないので、接点の汚染・摩耗・変形による接触不良を防止することができ、カード１０ａ及びホルダー２０の耐久性を高めることができる。
記憶性表示部１７は、電源が切断されてもデータ表示を継続できる特性を有している。例えば、電気泳動型、コレステリック液晶型など各種方式の記憶性表示媒体が存在するが、本発明にはいずれの記憶性表示媒体を用いても良い。
ＲＯＭ１３に記憶されているＩＤ情報は、カード１０を特定するための識別情報であり、ＩＣカード毎にユニークなＩＤ情報を記憶している。
【０００９】
一方、ホルダー２０は、ホルダー２０全体の動作の制御を行うＣＰＵ２１と、ホルダー２０を動作させるプログラムが記憶されているＲＯＭ２４と、プログラムの実行メモリとなるＲＡＭ２５と、ホルダー２０及びカード１０に対してユーザーから指示を与えるための操作部２２と、カード１０との間でデータ転送を行うと共にＩＣカードに対して電力供給を行うホルダーＩ／Ｆ２３と、駆動源となる電池２６と、から構成される。
即ち、本発明の第１の実施形態に係るカード１０とホルダー２０は、予め決められたサービス用プログラムをＲＯＭ２４に記憶しておき、そのサービス用プログラムの範囲内でＩＤ情報に応じたプログラムを呼び出して、カード１０の記憶性表示部１７に表示する形態である。従って、サービス用プログラムはＲＯＭ２４に記憶された内容に限定されるため、サービス用プログラムの更新は、ＲＯＭ２４の内容を書き換えるか、或いは、ＲＯＭ２４を書き換え可能なＲＯＭ（ＥＥＰＲＯＭやフラッシュメモリ等）により構成して、ホルダーＩ／Ｆ２３を介して外部からダウンロードすることにより可能である。
【００１０】
次に、このように構成されたカード１０とホルダー２０の動作について説明する。図３は、カード１０とホルダー２０の動作について示したフローチャートである。
カード１０がホルダー２０に装着されると、ホルダーＩ／Ｆ２３を介してカード１０に電源が供給されてカード１０を起動する。ホルダー２０はカード１０の装着を検出し（ステップＳ１でＹｅｓ）、ＣＰＵ２１がホルダーＩ／Ｆ２３を通じて、ＲＯＭ１３に記憶されているＩＤ情報を読み出す（ステップＳ２）。読み出したＩＤ情報が、ホルダー２０で対応しているものであると判断すると（ステップＳ３でＹｅｓ）、そのＩＤ情報に対応したアプリケーションプログラムを選択して（ステップＳ４）起動し（ステップＳ５）、起動したプログラムに基づいて動作する。このプログラムは、ユーザーに対してサービスを提供するサービス用プログラムである。サービス用プログラムは、サービスを提供するために必要なサービス用情報を記憶性表示部１７に表示させることができる。
【００１１】
例えば、カード１０が病院で使用する診察券カードであれば、ＲＯＭ１３には予めＩＣカード種別がわかるような情報（例えば診察券カードである旨の識別情報）がＩＤ情報として記憶されている。そして、ＩＤ情報からカード１０が病院の診察カードであると認識されると、ホルダー２０は病院内で必要な案内サービスを行うサービス用プログラムをＲＯＭ２４から選択して起動する。サービス用プログラムは、受診科の窓口までの経路を案内する地図を記憶性表示部１７に表示する。ユーザーは、記憶性表示部１７に表示された内容を見ながら操作部２２を操作して、必要な情報を選択して表示することができる。
なお、ＲＯＭ１３を書き換え可能なＲＯＭとし、ＲＯＭ１３内に受診科、受診日時等、サービスを提供するために必要な情報（サービス用情報）を記憶しておいてもよい。このようにすれば、サービス用プログラムが自動的にサービス用情報を読み出して、自動的に経路案内を開始することができる。また、受診科までの経路を案内する地図と共に受診時間を記憶性表示部１７に表示することも可能である。
【００１２】
また、例えばカード１０が医師や看護師が日常的に身につけるカードであれば、記憶性表示部１７にその日のスケジュールなどを表示する。
また、例えばカード１０が一般企業において使用される来客者カードであれば、記憶性表示部１７に会議室までの経路を案内する地図を表示する。あるいは、社員証カードであれば、その社員のスケジュールを表示する。
このようにホルダー２０は、挿入されたカード１０のＩＤ情報に基づいて、カード１０保有者に応じたサービスを行うサービス用プログラムを実行する。
以上のように本実施形態によれば、表示装置付きＩＣカードは、電源を備えていないのでＩＣカードが大型化することがない。また、ＩＣカードホルダーに装着するだけでＩＤ情報に従ったプログラムが動作するので、操作が簡便である。また、ＩＣカードの表示部を介してユーザーは様々なサービスを受けることができ、ＩＣカードの利用価値が高まる。また、ＩＣカードホルダーは、表示装置を有していないので、ＩＣカードホルダーの小型化を図ることができる。
【００１３】
〔第二の実施形態〕
本発明の第二の実施形態について図４、図５に基づいて説明する。本実施形態においては、ホルダーが無線通信手段を備えた点に特徴がある。図４は、本発明の第二の実施形態に係るホルダー３０のハードウェア構成を示すブロック図である。図４では、全ての構成要素が記載されており、各実施形態により構成が異なる。即ち、図４では、図２の第１の実施形態の構成に、無線通信回路３１、ホストコンピューター３２、スピーカー５１、バイブレーター５２、及び生体認証装置６１が追加されている。
即ち、本発明の第２〜６の実施形態に係るカード１０とホルダー３０〜６０は、ホストコンピューターからダウンロードされたサービス内容をＲＡＭ２５に記憶し、そのサービス内容を呼び出して、カード１０の記憶性表示部１７に表示する形態である。従って、サービス内容はリアルタイムに変更することが可能であり、ホルダーとカードを特定のサービスに限定する必要がない。
【００１４】
図５は、カード１０とホルダー３０の動作について示したフローチャートである。第一の実施形態と同一の部分には同一の符号を付してその説明を省略する。
第二の実施形態では、無線通信回路３１、及びホストコンピューター３２が追加されている。図４に示すように、ホルダー３０は、ホストコンピューター３２との間で無線によるデータ通信を行う無線通信回路３１を備えている。本実施形態において、ＲＯＭ２４には、アプリケーションプログラムが記憶されていない。つまり、ＩＤ情報を読み取ったホルダー３０は、ユーザーにサービスを提供するために必要なサービス用プログラムをホストコンピューター３２から受信して動作する。例えば、カード１０が病院で使用する診察券カードであれば、受診科の窓口までの経路を案内するサービス用プログラムをホストコンピューター３２から受信して起動する。
【００１５】
次に、カード１０とホルダー３０の動作について説明する。図５に示すように、カード１０がホルダー３０に装着されると（ステップＳ１でＹｅｓ）、ＣＰＵ２１はホルダーＩ／Ｆ２３を通じてカード１０のＩＤ情報を読み出す（ステップＳ２）。そして、ホストコンピューター３２に接続する（ステップＳ１１）。ホストコンピューター３２との間で接続が確立すると、読み出したＩＤ情報をホストコンピューター３２に送信する（ステップＳ１２）。ホストコンピューター３２はＩＤ情報を受け取ると、カード１０、ホルダー２０、ホストコンピューター３２から構成されるサービス提供システムに対応しているＩＤかどうかを判断する（ステップＳ１３）。対応しているＩＤであると判断すると（ステップＳ１３でＹｅｓ）、ホストコンピューター３２は、そのＩＤ情報に対応したアプリケーションプログラムをホルダー３０に送信する（ステップＳ１４）。これを受信したホルダー３０は（ステップＳ１５）、受信したプログラムを起動して、ユーザーにサービスを行う（ステップＳ５）。
なお、ステップＳ１３において、ホストコンピューター３２が、サービス提供システムに対応したＩＤではないと判断すると（ステップＳ１３でＮｏ）、ホルダー３０に対して、ＩＤがシステムに非対応である旨の通知を行って、図５のフローを終了する。
【００１６】
ホストコンピューター３２からはサービス用プログラムのみならず、サービス用プログラム実行に必要なサービス用情報をダウンロードするようにしてもよい。具体的に第一の実施形態の診察券カードを例に挙げれば、ＩＤ情報に基づいて受診科、検査場所、検査時間等の情報をダウンロードしても良い。また、ＲＯＭ１３には、必要最低限のサービス用プログラムを保持しておき、追加的に必要となったサービス用プログラムのみをダウンロードするようにしてもよい。
このように、本実施形態によれば、ＩＣカードのＩＤ情報に応じて必要なサービス用プログラムをその都度ホストコンピューターからダウンロードするので、カードホルダーにアプリケーションプログラムを記録しておく必要がなく、ＩＣカードホルダーのＲＯＭ領域を有効活用することかできる。また、ＩＣカードにはＩＤ情報のみを保存しておくだけで良く、その他の情報は全てダウンロードにより対応できるので、ホストコンピューターでの情報の一元管理が可能になる。
【００１７】
〔第三の実施形態〕
本発明の第三の実施形態について図４、図６に基づいて説明する。本実施形態においては操作部として、操作ボタンの代わりにタッチパネルを備えた点に特徴がある。図６はカード及びホルダーの外観図である。以下、第一及び第二の実施形態と同一の部分には同一の符号を付してその説明を省略する。
図４に示すように、ホルダー４０は、操作部２２としてタッチパネル４１を備えている。また図６に示すように、ホルダー４０は、カード１０ｂの記憶性表示部１７を視認可能な窓部Ｗにタッチパネル４１を備えている。ハードウェアとしての操作ボタンを有していない分、上述の実施形態と比較して、窓部Ｗの領域が広くなっている。また、ホルダー４０に装着されるカード１０ｂも、窓部Ｗの領域に合わせて広い記憶性表示部１７を有している。ホルダー４０は、カード１０ｂが挿入されたときに、タッチパネル４１の下面に記憶性表示部１７が位置するように設計されている。記憶性表示部１７は、サービス用情報とともに操作ボタンを表示する。ユーザーは表示された操作ボタン上のタッチパネル４１に触れることで、ホルダー４０及びカード１０ｂに動作指示を与えることができる。
このように本実施形態によれば、ホルダーはハードウェアとしての操作ボタンを備える必要が無くなるので、その分ホルダーの窓部を大きくすることができる。したがって、視認性の向上と表示される情報量の増加を図ることができる。
【００１８】
〔第四の実施形態〕
本発明の第四の実施形態について図４に基づいて説明する。本実施形態におけるカードホルダーは、音による情報提供を行うスピーカーを備えた点に特徴がある。以下の説明では、第一乃至第三の実施形態と同一の部分には同一の符号を付してその説明を省略する。
図４に示すように、ホルダー５０はスピーカー５１を備えているので、ユーザーに対して音によるユーザーインターフェースを提供することができる。例えば、カード１０が先の実施形態において例に挙げた診察券カードである場合には、受診科の窓口までの経路を音声ガイドによって案内することかできる。
また、スピーカー５１とは別に、又はこれと合わせてバイブレーター５２（振動装置）を備えて、振動によるユーザーインターフェースを提供しても良い。例えば、先ほどの診察券の例であれば、ホルダー５０は、受診時間が近づいていることを振動により知らせることができる。
このように、本実施形態によれば、ユーザーに対して視覚的なユーザーインターフェースのみならず、音や振動といった各種ユーザーインターフェースを使ったアプリケーションを提供することができる。
【００１９】
〔第五の実施形態〕
本発明の第五の実施形態について図４、図７、図８に基づいて説明する。本実施形態におけるカードホルダーは、生体認証装置を備えた点に特徴がある。図７は、本実施形態におけるカードホルダーの外観を示した図である。図８は、カードとホルダーの動作について示したフローチャートである。以下、第一乃至第四の実施形態と同一の部分には同一の符号を付してその説明を省略する。
ホルダー６０は、図４、図７に示すように、生体認証装置６１を備えている。生体認証装置６１としては、例えば指紋、静脈などの各種方式が存在し、本実施形態には、いずれの認証装置を用いることもできる。
カード１０とホルダー６０の動作について説明する。図８に示すように、カード１０がホルダー６０に装着されると（ステップＳ１でＹｅｓ）、ＣＰＵ２１は、カード１０のＩＤ情報を読み出す（ステップＳ２）。さらに、記憶性表示部１７に生体認証データの入力を促すメッセージを表示する。ユーザーにより生体認証入力がなされると、先に読み出したＩＤ情報と生体認証データとの照合を行う（ステップＳ２２）。そして、照合の結果、本人であることを確認すると、ＩＤ情報に対応したアプリケーションプログラムを選択して（ステップＳ４）起動する（ステップＳ５）。また、ステップＳ２２においてＩＤ情報と生体認証データとの照合に失敗した場合には（ステップＳ２２でＮｏ）、認証に失敗した旨のエラーメッセージを表示してフローを終了する（ステップＳ２３）。
このように本実施形態によれば、ＩＣカードに記憶されたＩＤ情報に加えて、ユーザー固有の生体認証データを用いて照合し、ＩＤ情報と生体認証データとが照合できた場合にのみアプリケーションプログラムを起動するので、高いセキュリティーのアプリケーションの提供が可能になる。
【００２０】
〔第六の実施形態〕
本発明の第六の実施形態について図９に基づいて説明する。本実施形態においては、カードホルダーから取り外す前に、起動中のアプリケーションプログラムを終了する旨を操作部から入力された場合にＩＣカードの記憶性表示部の表示内容を書き換える点に特徴がある。
図９は、カードとホルダーの動作について説明するフローチャートである。なお、本実施形態においては、代表的にホルダー２０を例にとって説明する。
アプリケーションプログラムが起動され（Ｓ３１）、ユーザーが、ホルダー２０に対して、起動中のアプリケーションプログラムを終了する旨を操作部２２から入力すると（Ｓ３２でＹｅｓ）、ＩＤ情報内データを表示して（Ｓ３３）、表示が完了すると（Ｓ３４でＹｅｓ）、ＩＣカード１０がホルダー２０から外される（Ｓ３５）。
本実施形態では、ＩＣカード１０をホルダー２０から外しても、ＩＣカード１０に表示された情報は維持されるため、ユーザーはＩＣカード１０だけを携帯するだけで情報を利用できる。先の例で言うと、診察券であれば、次回の予約日をＩＣカード１０に表示することで、ホルダー２０を病院に返却しても、その情報を保持しておくことができる。また、一般企業の社員証カードであれば、社内ではホルダー２０と共に使用することで、スケジュール管理などのツールとして使用し、退社時にホルダー２０から外す際に社員証としての社員データを表示することで、このＩＣカード１０だけで社員証として使用できる。
本発明によれば、ホルダーからＩＣカードを外す際に、有用なデータが表示され、外した後でも、その表示データが保持されるため、ユーザーは継続的にデータを利用することができる。
【図面の簡単な説明】
【００２１】
【図１】ＩＣカードとＩＣカードホルダーの外観図であり、（ａ）は外観図、（ｂ）は使用状態を示す図である。
【図２】第一の実施形態に係るＩＣカードとＩＣカードホルダーのハードウェア構成を示すブロック図である。
【図３】第一の実施形態におけるＩＣカードとＩＣカードホルダーの動作について示したフローチャートである。
【図４】第二の実施形態に係るＩＣカードホルダーのハードウェア構成を示すブロック図である。
【図５】第二の実施形態におけるＩＣカードとＩＣカードホルダーの動作について示したフローチャートである。
【図６】第三の実施形態に係るＩＣカードとＩＣカードホルダーの外観図である。
【図７】第五の実施形態に係るＩＣカードホルダーの外観を示した図である。
【図８】第五の実施形態におけるＩＣカードとＩＣカードホルダーの動作について示したフローチャートである。
【図９】第六の実施形態におけるＩＣカードとＩＣカードホルダーの動作について示したフローチャートである。
【符号の説明】
【００２２】
１０、１０ａ、１０ｂ…ＩＣカード（カード）、１１…ＩＣチップ、１２…ＣＰＵ、１３…ＲＯＭ、１４…ＲＡＭ、１５…表示制御回路、１６…カードＩ／Ｆ、１７…記憶性表示部、２０…ＩＣカードホルダー（ホルダー）、２１…ＣＰＵ、２２…操作部、２３…ホルダーＩ／Ｆ、２４…ＲＯＭ、２５…ＲＡＭ、２６…電池、３０…ホルダー、３１…無線通信回路、３２…ホストコンピューター、４０…ホルダー、４１…タッチパネル、５０…ホルダー、５１…スピーカー、５２…バイブレーター、６０…ホルダー、６１…生体認証装置
【図１】
2010146296.tif 000003
【図２】
2010146296.tif 000004
【図３】
2010146296.tif 000005
【図４】
2010146296.tif 000006
【図５】
2010146296.tif 000007
【図６】
2010146296.tif 000008
【図７】
2010146296.tif 000009
【図８】
2010146296.tif 000010
【図９】
2010146296.tif 000011